(57)【要約】【課題】脚折れテーブルにおいて、支脚を枠フレーム側へ折り畳んだ際に、その支脚の折り畳み状態を保持する。その保持手段を、枠フレームと支脚以外の追加部材を用いることなく形成する。【解決手段】枠フレーム３の下部両側に側壁３ｂ，３ｃを下方へ突設して、該両側壁３ｂ，３ｃにより下方が開口する収納空間１４を設け、該収納空間内１４に支脚７を略収納して折り畳むようにする。保持手段Ａを、前記枠フレーム３における両側壁３ｂ，３ｃの下部内面において内側へ突設した係止突部３ｅ，３ｆと、前記支脚７側に設けられて前記係止突部３ｅ，３ｆに嵌合する係止凹部１８ｆ，１８ｇとからなり、該係止突部３ｄ，３ｅと係止凹部１８ｆ，１８ｇが弾性により係止するように形成する。【選択図】          図１１
2004223050.tif 000002
【特許請求の範囲】
【請求項１】
天板の下面に枠フレームを設け、該枠フレームの端部に支脚を回転可能に設けて、該支脚を前記枠フレームの下部に沿って折り畳むようにする脚折れテーブルにおいて、前記枠フレームと支脚側に、支脚を枠フレームの下部に折り畳んだ場合に、弾性により係止して支脚を保持する保持手段（Ａ）を設けたことを特徴とする脚折れテーブル。
【請求項２】
前記保持手段（Ａ）を、枠フレームと支脚側のいずれか一方に係止突部を設け、他方に係止凹部を設けて、これらが弾性により係止するように形成した請求項１記載の脚折れテーブル。
【請求項３】
前記枠フレーム（３）の下部両側に側壁（３ｂ，３ｃ）を下方へ突設して、該両側壁（３ｂ，３ｃ）により下方が開口する収納空間（１４）を設け、該収納空間内（１４）に支脚（７）を略収納して折り畳むようにし、前記保持手段（Ａ）を、前記枠フレーム（３）における両側壁（３ｂ，３ｃ）の下部内面において内側へ突設した係止突部（３ｅ，３ｆ）と、前記支脚（７）側に設けられて前記係止突部（３ｅ，３ｆ）に嵌合する係止凹部（１８ｆ，１８ｇ）とからなり、該係止突部（３ｄ，３ｅ）と係止凹部（１８ｆ，１８ｇ）が弾性により係止するように形成した請求項１記載の脚折れテーブル。
【請求項４】
前記枠フレームを、方形の横断面形状の枠フレーム（２３）に形成し、前記保持手段（Ａ）を、枠フレーム（２３）の底壁（２３ａ）に上方への凹部（２３ｂ）を形成するとともに該凹部（２３ｂ）の下部内面に突設した係止突部（２３ｃ，２３ｄ）と、前記支脚側に設けられて前記係止突部（２３ｃ，２３ｄ）に嵌合する係止凹部（２５，２６）とからなり、該係止突部（２３ｃ，２３ｄ）と係止凹部（２５，２６）が弾性により係止するように形成した請求項１記載の脚折れテーブル。
【請求項５】
前記枠フレームを、テーブルの天板に固着する上壁（３３ａ）と、該上壁（３３ａ）の外側端から下方へ垂設した側壁（３３ｂ）とからなる横断面が逆Ｌ字状の枠フレーム（３３）に形成し、前記保持手段（Ａ）を、前記側壁（３３ｂ）の下部内面に突設した係止突部（３３ｃ）と、前記支脚側に設けられて前記係止突部（３３ｃ）に嵌合する係止凹部（１８ｆ）とからなり、該係止突部（３３ｃ）と係止凹部（１８ｆ）が弾性により係止するように形成した請求項１記載の脚折れテーブル。
【請求項６】
前記支脚側の係合凹部（１８ｆ，１８ｇ）を、支脚（７）の下端に固設した樹脂製のアジャスタ受け（１８）に形成した請求項２乃至５のいずれかに記載の脚折れテーブル。
【発明の詳細な説明】
【０００１】
【発明の属する技術分野】
本発明は脚折れテーブルに関する。
【０００２】
【従来の技術】
従来、天板の下面に、横断面がロ状の型材からなる枠フレームを固設し、該枠フレームに支脚の上端を回転可能に連結し、不使用時には前記の支脚を前記枠フレームの下面に重ね合わせ状に折り畳むようにしたものが知られている。
【０００３】
【発明が解決しようとする課題】
前記従来のように支脚を枠フレームの下面に重ね合わせ状に折り畳むものにおいては、その折り畳まれた支脚を、搬送時などにおいて起立状態に落下しないように保持する必要がある。
【０００４】
そこで本発明は、前記のように折り畳まれた支脚の折り畳み状態を保持し、かつ、この保持状態からその支脚を容易に起立させることができる簡易な構造の脚折れテーブルを提供することを目的とするものである。
【０００５】
【課題を解決するための手段】
前記の課題を解決するために、請求項１記載の発明は、天板の下面に枠フレームを設け、該枠フレームの端部に支脚を回転可能に設けて、該支脚を前記枠フレームの下部に沿って折り畳むようにする脚折れテーブルにおいて、前記枠フレームと支脚側に、支脚を枠フレームの下部に折り畳んだ場合に、弾性により係止して支脚を保持する保持手段（Ａ）を設けたことを特徴とするものである。
【０００６】
請求項２記載の発明は、前記請求項１記載の発明において、前記保持手段（Ａ）を、枠フレームと支脚側のいずれか一方に係止突部を設け、他方に係止凹部を設けて、これらが弾性により係止するように形成したものである。
【０００７】
請求項３記載の発明は、前記請求項１記載の発明において、前記枠フレーム（３）の下部両側に側壁（３ｂ，３ｃ）を下方へ突設して、該両側壁（３ｂ，３ｃ）により下方が開口する収納空間（１４）を設け、該収納空間内（１４）に支脚（７）を略収納して折り畳むようにし、前記保持手段（Ａ）を、前記枠フレーム（３）における両側壁（３ｂ，３ｃ）の下部内面において内側へ突設した係止突部（３ｅ，３ｆ）と、前記支脚（７）側に設けられて前記係止突部（３ｅ，３ｆ）に嵌合する係止凹部（１８ｆ，１８ｇ）とからなり、該係止突部（３ｄ，３ｅ）と係止凹部（１８ｆ，１８ｇ）が弾性により係止するように形成したものである。
【０００８】
請求項４記載の発明は、前記請求項１記載の発明において、前記枠フレームを、方形の横断面形状の枠フレーム（２３）に形成し、前記保持手段（Ａ）を、枠フレーム（２３）の底壁（２３ａ）に上方への凹部（２３ｂ）を形成するとともに該凹部（２３ｂ）の下部内面に突設した係止突部（２３ｃ，２３ｄ）と、前記支脚側に設けられて前記係止突部（２３ｃ，２３ｄ）に嵌合する係止凹部（２５，２６）とからなり、該係止突部（２３ｃ，２３ｄ）と係止凹部（２５，２６）が弾性により係止するように形成したものである。
【０００９】
請求項５記載の発明は、前記請求項１記載の発明において、前記枠フレームを、テーブルの天板に固着する上壁（３３ａ）と、該上壁（３３ａ）の外側端から下方へ垂設した側壁（３３ｂ）とからなる横断面が逆Ｌ字状の枠フレーム（３３）に形成し、前記保持手段（Ａ）を、前記側壁（３３ｂ）の下部内面に突設した係止突部（３３ｃ）と、前記支脚側に設けられて前記係止突部（３３ｃ）に嵌合する係止凹部（１８ｆ）とからなり、該係止突部（３３ｃ）と係止凹部（１８ｆ）が弾性により係止するように形成したものである。
【００１０】
請求項６記載の発明は、前記請求項２乃至５のいずれかの発明において、前記支脚側の係合凹部（１８ｆ，１８ｇ）を、支脚（７）の下端に固設した樹脂製のアジャスタ受け（１８）に形成したものである。
【００１１】
【発明の実施の形態】
本発明の好ましい実施の形態を図に示す実施例に基づいて説明する。
【００１２】
図１乃至図１１は第１実施例を示す。
図１は脚折れテーブルの正面図で、図１において、テーブル１における天板２の下面には、その天板２の前側と後側において、天板２の左右方向（図１の左右方向Ｂ−Ｂ）に沿ってアルミニウムなどの金属製の枠フレーム３がビス４（図３参照）などにより取り付けられて固設されている。なお、以下において、図１の左右方向を左右方向Ｂとし、これと直交する図２のＣ方向を前後方向Ｃとする。
【００１３】
前記枠フレーム３の左右端部には図３に示すように、ブラケット５が圧入して固設され、該ブラケット５に、水平な支軸６により支脚７の上端が回転可能に備えられており、該支脚７を図１の起立状態と図９の折り畳み状態に起倒できるようになっている。また、前記支脚７は前記枠フレーム３に対し、支脚７が枠フレーム３の下面でかつ枠フレーム３の長手方向に沿って重合的に折り畳まれるように位置して取り付けられている。
【００１４】
前記枠フレーム３には、図２に示すように、枠フレーム３の内側に位置して第１の支脚保持枠８が支軸９により回転可能に備えられ、また、前記支脚７には、図２に示すように支脚７の内側に位置して第２の支脚保持枠１０が支軸１１により回転可能に備えられ、かつ、該両支脚保持枠８，１０は連結軸１２で回転可能に連結されている。そして、連結軸１２を、図１に示すように支軸９と１１を結ぶ直線よりも下方に位置させて支脚７の起立状態を保持し、両支脚保持枠８，１０を折り畳んで支脚７を図９に示すように折り畳むことができるようになっている。
【００１５】
１３は前記第１支脚保持枠８に架設した棚である。
前記枠フレーム３の横断面形状（図３のＦ−Ｆ線断面形状）は、図５に示すように上壁３ａと、両側壁３ｂ，３ｃと、両側壁３ｂ，３ｃ間を連結する連結壁３ｄとからなり、これらがアルミニウムなどの金属製型材により一体成形されている。また、前記連結壁３ｄは両側壁３ｂ，３ｃの高さ方向の中間部に配置され、枠フレーム３の下部に、前記両側壁３ｂ，３ｃと連結壁３ｄにより、下側が開口した収納空間１４が形成されている。該収納空間１４の横断面形状は、前記支脚７を略収納できる形状及び大きさに形成され、また、該収納空間１４は枠フレーム３の長手方向（Ｂ−Ｂ方向）全長にわたって形成されている。更に、該収納空間１４の長手方向（枠フレーム３の長手方向）の端部１４ａは開口されている。なお、図の実施例では、図９乃至図１１に示すように、支脚７を、これが収納空間１４より若干下方に突出する状態で収納するようにしたが、支脚７の全体が収納空間１４内に収まるようにしてもよい。
【００１６】
また、前記枠フレーム３における両側壁３ｂ，３ｃの下部内面には図５に示すように、内側、すなわち収納空間１４側へ若干突出した係止突部３ｅ，３ｆが一体形されている。この係止突部３ｅ，３ｆは枠フレーム３の長手方向である左右方向（Ｂ方向）全長にわたって形成されている。更に、この係止突部３ｅ，３ｆは、前記連結壁３ｄより下方の両側壁３ｃ，３ｄの内外方向（図５の左右方向）への弾性を利用したスナップを構成している。
【００１７】
前記ブラケット５には、図３に示すように、係止爪部５ｂを形成した連結部５ａが一体に突設されており、該連結部５ａを前記枠フレーム３の上部空間１５に圧入してブラケット５が枠フレーム３の端部に固着されている。
【００１８】
また、前記支脚７はアルミニウムなどの金属製型材により、図６に示すような断面（図３のＧ−Ｇ断面）が方形の中空材で形成されており、その中空部１６の上下端は開口している。該支脚７の上端には回転連結具１７が、これに一体成形した連結部１７ａを支脚７の中空部１６内に圧入して固設されている。１７ｂは連結部１７ａに形成した係止爪である。そして、回転連結具１７とブラケット５を支軸６で回転可能に連結して、支脚７が支脚６を中心として起倒するようになっている。
【００１９】
前記支脚７の下端には樹脂製のアジャスタ受け１８が、これに一体成形した連結部１８ａを支脚７の中空部１６内に圧入して固設されている。１８ｂは連結部１８に形成した係止爪である。このアジャスタ受け１８は、支脚の一部を構成しているので、このアジャスタ受け１８も含めて支脚７ともいう。
【００２０】
前記アジャスタ受け１８の中心部には、下端が開口する雌ねじ１８ｃが刻設されており、該雌ねじ１８ｃに、アジャスタ１９に一体形成した雄ねじ１９ａが螺合されており、アジャスタ１９の正逆回転により、支脚全体の長さを調整するようになっている。
【００２１】
前記支脚７の横断面形状は図６に示すように方形に形成されており、その前後方向（Ｃ方向）の長さＬ１は前記枠フレーム３における係止突部３ｅ，３ｆの対向間距離Ｌ２（図５参照）よりも小さく設定されており、支脚７を枠フレーム３側へ折り畳んだ場合に、支脚７が枠フレーム３の係止突部３ｅ，３ｆ間を通って収納空間１４内に入るようになっている。
【００２２】
また、前記アジャスタ受け１８は図７（ｃ）に示すように、上下方向から見て方形に形成されており、その前後方向（Ｃ方向）の両端面、すなわち前記枠フレーム３における係止突部３ｅ，３ｆが相向き合う方向と同方向の両端面には係止部１８ｄ，１８ｅが形成されている。該係止部１８ｄ，１８ｅは、その左右方向（Ｂ方向）の中央部に位置して形成された係止凹部１８ｆ，１８ｇと、その両側に位置して形成された係止凸部１８ｈ，１８ｉ、１８ｊ，１８ｋで形成されている。これら係止凹部１８ｆ，１８ｇと係止凸部１８ｈ〜１８ｋは曲面で形成されている。また前記係止部１８ｄ，１８ｅはスナップを構成している。
【００２３】
更に、前記両係止凹部１８ｆ，１８ｇの底面間距離Ｌ３は、前記枠フレーム３における両係止突部３ｅ，３ｆの対向間距離Ｌ２よりも短く設定され、また、両係止凸部１８ｈと１８ｊ及び１８ｉと１８ｋとの頂部間距離Ｌ５は、前記枠フレーム３における両係止突部３ｅ，３ｆの対向距離Ｌ２よりも長く、かつ、収納空間１４の前後方向（Ｃ方向）の長さＬ６よりも短く設定されている。
【００２４】
前記枠フレーム側の係止突部３ｅ，３ｆと、支脚の一部をなすアジャスタ受け１８に形成した係止凹部１８ｆ，１８ｇによって支脚の保持手段Ａを構成している。
【００２５】
以上の構造において、図１に示すように支脚７を起立させるとともに両支脚保持枠８，１０を、連結軸１２が支軸９と１１を結ぶ直線から下方へ位置するようにすることにより、支脚７の起立状態を保持することができる。
【００２６】
また、図１の状態から支脚７を折り畳む場合には、前記連結軸１２を図１の矢印Ｄのように上方へ移動して両支脚保持枠８，１０を上方へ折り畳むとともに支脚７を図１において矢印Ｅ方向へ倒し、その支脚７を、枠フレーム３に押圧する。この押圧により、アジャスタ受け１８の係止凸部１８ｈ，１８ｉが枠フレーム３の両係止突部３ｅ，３ｆを、その弾性復元力に抗して押し開くか、或いは樹脂製のアジャスタ受け１８の係止凸部１８ｈ，１８ｉが若干変形してアジャスタ受け１８が図１０及び図１１に示すように、枠フレーム３の下部に形成した収納空間１４内に略収納され、同時に支脚７も収納空間１４内に略収納されて折り畳まれる。すなわち、前記係止突部３ｅ，３ｆと前記係止部１８ｄ，１８ｅがスナップを構成し、アジャスタ受け１８がスナップフィットで枠フレーム３に嵌着される。
【００２７】
この支脚７の折り畳み状態では，アジャスタ受け１８の両係止凸部１８ｈ，１８ｊが図１０に示すように、枠フレーム３における両係止突部３ｅ，３ｆの段差３ｇ，３ｈに係止しているため、支脚７が不用意に枠フレーム３から離脱落下することがなく、支脚７の折り畳み状態が保持される。
【００２８】
また、図１１に示すように、枠フレーム３の高さＨを高くしてこの枠フレーム３の補強性を高めても、この枠フレーム３内に支脚７が略収まることから、枠フレーム３の高い補強性の確保を図るとともに枠フレーム３と支脚７との重ね合わせによるこれらの天板下面からの突出量を少なくすることができる。
【００２９】
そのため、脚折れテーブルを複数重ねて収納する場合に、嵩高になることを防止できる。
【００３０】
次に前記の支脚７の折り畳み状態からその支脚７を起立させる場合には、支脚７を、枠フレーム３における係止突部３ｅ，３ｆの弾性復元力よりも強い力で起立方向へ引き、アジャスタ受け１８を枠フレーム３より離脱させて支脚７を起立させる。
【００３１】
また、前記の構造により、枠フレーム３の強度が高くなるため、天板２の厚みを薄くすることができ、側面から見た天板部のデザインを、従来に比べて極めて薄くした斬新なデザインにすることができる。
【００３２】
更に、支脚７を支持するブラケット５を図３に示すように枠フレーム３の上部空間１５内に圧入して固設するようにしたので、このブラケット３を従来のように枠フレームと並行して平板へ直接取り付ける必要がない。したがって、枠フレーム３とブラケット５を、天板２の裏面における図８のハッチングで示す狭い範囲Ｘにおいて取り付けることができる。そのため、天板２における取付用の芯材（例えばパーチクルボード）をハッチング部Ｘのみに入れて、他の広い範囲Ｙを軽量材（例えばハニカム板）にすることができ、天板、すなわちテーブルを軽量化することができる。
【００３３】
図１２乃至図１４は第２実施例を示す。
本第２実施例は、前記第１実施例における枠フレーム３とアジャスタ受け１８との保持手段Ａの他の実施例を示す。
【００３４】
本第２実施例の枠フレーム２３は、その横断面形状において、前記第１実施例における枠フレーム３における連結壁３ｄを底壁２３ａとして、その中央部に、上方への凹部２３ｂを形成し、該凹部２３ｂの下端内面に係止突部２３ｃ，２３ｄを内方へ突出し、また、前記第１実施例におけるアジャスタ受け１８における前記枠フレーム２３と対向する面に、前記凹部２３ａに嵌合する突部２４を形成するとともに前記係止突部２３ｃ，２３ｄが嵌合する係止凹部２５，２６を形成したものである。すなわち、係止突部２３ｃ，２３ｄと係止凹部２５，２６が弾性により係止する保持手段Ａを構成し、スナップフィットでこれら係止突部２３ｃ，２３ｄと係止凹部２５，２６が嵌合するようになっている。
【００３５】
なお、前記係止突部２３ｃ，２３ｄは、前記第１実施例と同様に、枠フレーム２３の長手方向の全長にわたって形成されている。また、本第２実施例の枠フレーム２３には、前記第１実施例における連結壁３ｄより下方への両側壁は設けられていないが、これを設けてもよい。
【００３６】
その他の構造は前記第１実施例と同様である。
本第２実施例においても前記第１実施例と同様の作用、効果を発揮できる。
【００３７】
図１５乃至図１７は第３実施例を示す。
本第３実施例は、前記第１実施例における枠フレーム３ととアジャスタ受け１８の保持手段Ａの更に他の例を示す。
【００３８】
本第３実施例の枠フレーム３３は、図１５に示すように、横断面形状を、天板２に固着される上壁３３ａと、その外側端から下方へ垂設した側壁３３ｂからなる逆Ｌ字状に形成し、更に、前記側壁３３ｂの下部内面に係止突部３３ｃを内側へ突設したものである。該係止突部３３ｃは、枠フレーム３３の長手方向の全長にわたって形成されている。
【００３９】
また、本第３実施例におけるアジャスタ受け１８は、図１６に示すように、前記第１実施例のアジャスタ受け１８と同様の形状に形成されている。そのため、前記と同一部分には前記と同一の符号を付してその説明を省略する。また、該アジャスタ受け１８と前記枠フレーム３３との位置関係は、該アジャスタ受け１８を固着した支脚７を枠フレーム３３側へ倒伏した場合に、図１７に示すように、アジャスタ受け１８に形成した係止凸部１８ｈが係止突部３３ｃを外側へ押し開いて弾力的に乗り越えて、係止突部３３ｃが係止凹部１８ｆ内に嵌合係止するようになっている。
【００４０】
その他の構造は前記第１実施例と同様である。
本第３実施例においても前記第１実施例と同様の作用、効果を発揮できる。更に、本第３実施例によれば、枠フレーム３３を前記第１及び第２実施例の枠フレーム３，２３に比べて軽量、安価に形成できる。
【００４１】
なお、前記の実施例においては、係止突部３ｅ，３ｆ，２３ｃ，２３ｄ，３３ｃを枠フレーム側に設け、係止凹部１８ｆ，１８ｇ，２５，２６をアジャスタ受け側（支脚側）に設けたが、この係止突部３ｅ，３ｆ，２３ｃ，２３ｄ，３３ｃをアジャスタ受け側（支脚側）に設け、係止凹部１８ｆ，１８ｇ，２５，２６を枠フレーム側に設けてもよい。更に、前記係止凹部１８ｆ，１８ｇ，２５，２６を支脚７に直接形成してもよい。
【００４２】
【発明の効果】
以上のようであるから、本発明によれば、支脚を枠フレーム側へ折り畳む操作により、その支脚が折り畳まれると同時にその支脚の折り畳み状態を保持できて至便であるとともに、支脚を折り畳んで搬送する際に、支脚が不用意に落下することを防止できる。
【００４３】
更に、請求項３乃至５の発明によれば、係止突部と係止凹部を、枠フレームと支脚の形状を工夫することにより形成できるため、これら以外の部品を追加することなく支脚の保持手段を構成でき、テーブルの組み立て作業が容易になり、かつ、安価、軽量に形成できる。
【００４４】
更に、請求項６の発明によれば、アジャスタ受けを樹脂で形成することにより、樹脂の弾性を利用して、係止、離脱機能を一層高めることができる。
【図面の簡単な説明】
【図１】本発明の第１実施例を示すもので、支脚を起立させた状態のテーブルの正面図。
【図２】図１の側面図。
【図３】図１における要部の拡大正断面図。
【図４】図３における右側面図。
【図５】図３における枠フレームのＦ−Ｆ線断面図。
【図６】図３における支脚のＧ−Ｇ線断面図。
【図７】図３におけるアジャスタ受けを示すもので、（ａ）は側面図、（ｂ）は正面図、（ｃ）は（ａ）の底面図。
【図８】図１の天板の裏面を示す説明図。
【図９】図１の状態から支脚を折り畳んだ状態を示す正面図。
【図１０】図９における支脚の折り畳み状態を示す拡大正断面図。
【図１１】図１０におけるＨ−Ｈ線断面図。
【図１２】本発明の第２実施例を示す枠フレームの横断面図。
【図１３】本発明の第２実施例を示すアジャスタ受けの横断面図。
【図１４】本発明の第２実施例を示す枠フレームにアジャスタ受けを保持した状態の横断面図。
【図１５】本発明の第３実施例を示す枠フレームの横断面図。
【図１６】本発明の第３実施例を示すアジャスタ受けの横断面図。
【図１７】本発明の第３実施例を示す枠フレームにアジャスタ受けを保持した状態の横断面図。
【符号の説明】
２      天板
３，２３，３３    枠フレーム
３ｂ，３ｃ    側座
３ｅ，３ｆ，２３ｃ，２３ｄ，３３ｃ    係止突部
７    支脚
１４    収納空間
１８    アジャスタ受け
１８ｆ，１８ｇ，２５，２６    係止凹部
３３ａ    上壁
Ａ    保持手段
【図１】
2004223050.tif 000003
【図２】
2004223050.tif 000004
【図３】
2004223050.tif 000005
【図４】
2004223050.tif 000006
【図５】
2004223050.tif 000007
【図６】
2004223050.tif 000008
【図７】
2004223050.tif 000009
【図８】
2004223050.tif 000010
【図９】
2004223050.tif 000011
【図１０】
2004223050.tif 000012
【図１１】
2004223050.tif 000013
【図１２】
2004223050.tif 000014
【図１３】
2004223050.tif 000015
【図１４】
2004223050.tif 000016
【図１５】
2004223050.tif 000017
【図１６】
2004223050.tif 000018
【図１７】
2004223050.tif 000019